(57)【特許請求の範囲】
【請求項１】
短円筒状の基台筒部(2)の上端から、略全高さ範囲に亘って縦長ガイド孔(3b)を開設した直線円筒状のガイド筒部(3a)を起立設した内筒体(3)と、前記ガイド筒部(3a)に回転自在にかつ抜け出し不能に外嵌し、内周面に螺溝(4a)を刻設した合成樹脂製の外筒体(4)と、円筒片体(5a)の外周面に、前記縦長ガイド孔を貫通して先端を螺溝に螺合させる螺合ピン(5b)を突設し、前記ガイド筒部内に昇降変位可能に挿入組付けされる受皿体(5)と、前記外筒体(4)に外嵌される直線円筒状の金属製のスリーブ(7)と、前記内筒体(3)に不動に固定され、前記外筒体(4)に空転可能に外嵌されるハカマ部材(10)と、該ハカマ部材(10)に着脱自在に嵌着する有頂円筒状のキャップ(11)とから成る繰り出し容器(1)において、
縦長状の係止部(7a)を前記スリーブ(7)の内面に突設し、同じく縦長状の係合片(4a)を前記外筒体(4)の外周面に等間隔に複数設け、前記係止部(7a)と係合片(4a)との組付力を、通常の繰り出し操作に伴う引き外し力よりも強く、且つ、一般規格に基づいて設定された組付力より弱い引き外し力により組付きが外れる範囲となるように、前記係止部(7a)と前記係合片(4a)を係合させた繰り出し容器。
【発明の詳細な説明】
【０００１】
【発明の属する技術分野】
本発明は、外筒体と内筒体との相対回転操作により、内筒体内部に収納した口紅等の棒状化粧料を繰り出して使用する繰り出し容器に関する。
【０００２】
【従来の技術】
この種の繰り出し容器は、短円筒状の基台筒部の上端から、略全高さ範囲亘って縦長ガイド孔を開設した直線円筒状のガイド筒部を起立設した内筒体と、内筒体のガイド筒部に回転自在にかつ抜け出し不能に外嵌し、内周面に螺溝を刻設した外筒体と、円筒片体の外周面に、内筒体の縦長ガイド孔を貫通して先端を螺溝に螺合させる螺合ピンを突設し、内筒体のガイド筒部内に昇降変位可能に挿入組付けされる受皿体と、外筒体に外嵌されるスリーブと、内筒体の下部に固定し、かつ、外筒体に空転可能に外嵌するハカマ部材と、該ハカマ部材に着脱自在に嵌着する有頂円筒状のキャップとから繰り出し容器が構成されている。
【０００３】
例えば、実開昭６４−１４３２１号公報、実公昭６１−１８８１７号公報に記載されているように、口紅等の棒状化粧品は、円筒片体から構成される受皿体を、同じく円筒状の内筒体内に昇降変位自在に組付け、内筒体を、一体的に組み付けられた円筒状の中具及びハカマから成るハカマ部材に組付けた後、該ハカマ部材の底部から溶融化粧品を受皿体に注入充填し、そのまま溶融化粧品を全体を均等に冷却固化して成形し、ハカマ部材の底部の開口部にシール等の閉塞部材を貼着して口紅等の棒状化粧品を形成している。
【０００４】
従来において、使用者は、内筒体に固定されたハカマ部材を持ち、スリーブを回転させて、スリーブが不動に外嵌されている外筒体と内筒体とを相対回転し、内筒体内部に収納した受皿体に充填された口紅等の棒状化粧品の繰り出し操作を行っている。
【０００５】
通常、繰り出し容器の機能部分を構成する、内筒体、受皿体及び外筒体とは、合成樹脂を用いて形成され、外筒体に外嵌されるスリーブは、美観や見た目の高級感を向上させるためにアルミニウム等の金属を用いて形成されている。
【０００６】
使用者が、繰り出し容器を使用する際に、外筒体と内筒体との相対回転操作により、内筒体内部に収納した口紅等の棒状化粧料を繰り出すためには、外筒体とスリーブが空転しないように、外筒体にスリーブが不動に外嵌されている必要がある。このため、従来においては、外筒体の外周面とスリーブの内周面が接着材で固着されたり、外筒体とスリーブが構造的に固定化されていた。
【０００７】
【発明が解決しようとする課題】
近年においては、地球環境等を考慮し、廃棄物の素材別に分別回収が義務付けられている。また、ごみの排出量を制限し、資源の有効利用を図るためにリサイクルへの関心が高まっている。
【０００８】
しかしながら、従来の棒状化粧品繰り出し容器であると、繰り出し容器の機能を発揮させるために、合成樹脂製の外筒体と金属製のスリーブが固定化され、異なる素材が分別できないという問題があった。また、金属製のスリーブのようにリサイクル可能な部材は、できるだけリサイクルして活用し、資源の有効利用を図るとともに、製品コストの低下に勤める必要がある。
【０００９】
通常、繰り出し容器の機能を発揮させるためには、内筒体と外筒体とを相対回転操作する必要があり、このため、通常の繰り出し操作に伴う周動に対して、スリーブが外筒体に不動に外嵌されている必要がある。
【００１０】
しかし、従来の繰り出し容器であると、外筒体とスリーブとは、通常の繰り出し操作に伴う周動に対してのみならず、外筒体からスリーブを引き外す、引き外し力に対しても、外筒体からスリーブが外れないように強固に固定されていた。
【００１１】
そこで本発明は、従来技術における問題点を解消すべく創案されたもので、特に、合成樹脂製の外筒体と、金属製のスリーブとを、繰り出し容器の通常の機能を妨げることなく、容易に分別可能とすることを技術的課題とし、もって金属製のスリーブのリサイクルを可能とすることを目的とする。
【００１２】
【課題を解決するための手段】
上記技術的手段を解決するために、本願発明は、短円筒状の基台筒部の上端から、略全高さ範囲に亘って縦長ガイド孔を開設した直線円筒状のガイド筒部を起立設した内筒体と、内筒体のガイド筒部に回転自在にかつ抜け出し不能に外嵌し、内周面に螺溝を刻設した合成樹脂製の外筒体と、円筒片体の外周面に、内筒体の縦長ガイド孔を貫通して先端を螺溝に螺合させる螺合ピンを突設し、内筒体のガイド筒部内に昇降変位可能に挿入組付けされる受皿体と、外筒体に外嵌される直線円筒状の金属製のスリーブと、内筒体に不動に固定され、外筒体に空転可能に外嵌されるハカマ部材と、ハカマ部材に着脱自在に嵌着する有頂円筒状のキャップとから成る繰り出し容器であること、外筒体とスリーブの一方に係止部を設けたこと、他方に係止部と係合する係合片を設けたこと、係止部と係合片との組付力を、通常の繰り出し操作に伴う引き外し力よりも強く、且つ、一般規格に基づいて設定された組付力よりも弱い引き外し力により組付きが外れる範囲に設定したこと、にある。
【００１３】
外筒体とスリーブの一方に設けた係止部と、他方に設けた係合片の組付力は、通常の繰り出し操作に伴う引き外し力よりも強く、且つ、一般規格に基づいて設定された組付力よりも弱い引き外し力により組付きが外れる範囲に設定されているため、通常の繰り出し操作時には、係止部と係合片の組付きが外れず、スリーブが外筒体に不動に外嵌した状態となるため、外筒体と内筒体との相対回転操作により、内筒体内部に収納した口紅等の棒状化粧品が繰り出し可能となり、通常の繰り出し容器の機能が発揮される。
【００１４】
一方、使用者が、通常の繰り出し操作に伴う引き外し力よりも強い力により、スリーブを引き外そうとすると、係止部と係合片の組付きが外れる。このとき、通常の繰り出し操作に伴う引き外し力以上の引き外し力が必要であるが、一般規定に基づいて設定された組付力より弱い引き外し力で係止部と係合片の組付きを外すことが可能である。このように、繰り出し容器は、外筒体からスリーブを引き外す、引き外し力に対して、組付きを弱化させたため、合成樹脂製の外筒体と金属製のスリーブとを容易に分別可能となる。
【００１５】
以上のように、使用者は、容易に素材別の分別廃棄を行うことができ、また、業者は、分別回収により金属製のスリーブ等をリサイクルして有効活用することができる。
【００１６】
さらに、前述の構成に、縦長状の係止部をスリーブの内面に突設したこと、同じく縦長状の係合片を外筒体の外周面に等間隔に設けたこと、を加えたものである。
【００１７】
係止部及び係合片は、それぞれ縦長の形状に形成されているため、係止部と係合片の組付きにより、特に、繰り出し操作時に周方向に繰り出し容器に係る力に対して、組付き力が大きくなる。
【００１８】
また、係合片は、外筒体の外周面に等間隔に設けたため、スリーブに突設した係止部と位置合せすることなく、スリーブと外筒体とを組み付けることができる。係止部は、スリーブの内面に突設したため、スリーブとハカマ部材の所定のクリアランスを保って、各部材の組付けが可能となる。
【００１９】
【発明の実施の形態】
以下、本発明の一実施例を、図面を参照にしながら説明する。
図１は、繰り出し容器１の一部断面図を含む平面図である。
【００２０】
繰り出し容器１は、短円筒状の基台筒部２の上端に起立設した直線円筒状のガイド筒部３ａを有する内筒体３と、該ガイド筒部３ａに回転自在かつ抜け出し不能に外嵌した同じく直線円筒状の外筒体４と、ガイド筒部３ａ内に挿入され、内筒体３及び外筒体４内を昇降変位する受皿体５と、外筒体４に外嵌した直線円筒状のスリーブ７と、外筒体４の下部で、内筒体３に不動に外嵌する中具８と、該中具８に一体的に外嵌したハカマ９とから成るハカマ部材１０と、中具８の上部の外周面に周設した複数の突周部に周面が当接される有頂円筒状のキャップ１１とから構成されている。
なお、ガイド筒部３ｂの下端には、摺動リング６が外嵌され、外筒体４と内筒体３とが適正な回動トルクで相対回転するように、ガイド筒部３ａに外嵌している外筒体４に摺動リング６が摺接されている。
【００２１】
本例において、内筒体３、受皿体５及び外筒体４は、合成樹脂を用いて成形され、スリーブ７、中具８及びハカマ９は、アルミニウム等の金属を用いて形成されている。
【００２２】
図２は、内筒体３と、外筒体４と、受皿体５と、摺動リング６と、スリーブ７と、中具８及びハカマ９が一体的に組み付けられたハカマ部材１０の一部断面図を含む分解図である。
【００２３】
ガイド筒部３ａには、略全高さ範囲に亘って開設された縦長ガイド孔３ｂが形成されている。また、ガイド筒部３ａに外嵌される外筒体４には、内周面に螺溝４ａが刻設されている。ガイド筒部３ａの内部に挿入組付けされた受皿体５は、円筒片体５ａ及び突設された螺合ピン５ｂを有し、螺合ピン５ｂが縦長ガイド孔３ｂを貫通して、螺溝４ａに螺合する。
【００２４】
繰り出し容器１は、図３に示したように、使用者がハカマ部材１０を持ち、スリーブ７を回転させて（図３中矢印は、スリーブ７の回転方向を示す。）、スリーブ７が不動に外嵌された外筒体４と、中具８を介してハカマ部材１０に固定された内筒体３とが相対回転し、受皿体５に充填された口紅等の棒状化粧品が内筒体３内部から繰り出し動作が行われる。なお、図３は、スリーブ７及びハカマ部材１０の一部を切り欠いて透明又は半透明の内筒体３、受皿体５及び外筒体４の合成樹脂で形成された部材を示した説明図である。
【００２５】
通常の繰り出し操作時に、スリーブ７が外筒体４に不動に外嵌されていないと、使用者がスリーブ７を回転させても、スリーブ７と外筒体４とが空転して、外筒体４と内筒体３の相対回転操作を行うことができず、繰り出し容器１の繰り出し動作が行われず、繰り出し容器１が通常の機能を発揮しない。
【００２６】
図４は、合成樹脂製部を構成する外筒体４と、外筒体４に外嵌したスリーブ７を示す、一部断面図を含む平面図である。
図４に示すように、スリーブ７には、その内面に縦長状の係止部７ａを突設し、外筒体４には、その外周面に沿って等間隔に複数の縦長溝状の係合片４ｂを設けている。
【００２７】
係止部７ａと係合片４ｂの組付力は、通常の繰り出し操作に伴う引き外し力よりも強く、且つ、一般規格に基づいて設定された組付力より弱い引き外し力により組付きが外れる範囲に設定する。
【００２８】
通常の繰り出し操作は、スリーブ７を周動させる操作であるが、通常の繰り出し操作時には、スリーブ７の周動に伴って、スリーブ７を容器から引き外そうとする力も働く。
【００２９】
しかし、係止部７ａと係合片４ｂの組付力が、通常の繰り出し操作に伴う引き外し力よりも強い範囲に設定されているため、通常の繰り出し操作に伴う引き外し力では、係止部７ａと係合片４ｂの組付力は外れず、スリーブ７が外筒体４に不動に外嵌された状態となり、通常の繰り出し容器の機能が発揮される。
【００３０】
通常の繰り出し操作に伴う引き外し力は、１ｋｇ以下である。また、スリーブと外筒体とを構造的に固定化する場合、一般規定に基づいて設定されている組付力は、５ｋｇである。
【００３１】
したがって、係止部７ａと係合片４ｂの組付力を１ｋｇ程度に設定すると、通常の繰り出し操作に伴う引き外し力により組付きが外れることがなく、スリーブ７は、外筒体４に不動に外嵌した状態で、繰り出し操作が行われ、スリーブ７が不動に外嵌された外筒体４と、ハカマ部材１０に固定された内筒体３の相対回転操作により、内筒体３内部に収納した棒状化粧品が繰り出され、通常の繰り出し容器１の機能が発揮される。
【００３２】
一方、繰り出し容器１の使用者は、通常の繰り出し操作に伴う引き外し力よりも強く、且つ、一般規格に基づいて設定された組付力である５ｋｇよりも弱い１ｋｇ程度の引き外し力により、係止部７ａと係合片４ｂの組付きを外すことができ、一般規格に基づいて設定された組付力よりも弱い引き外し力で合成樹脂製の外筒体４と金属製のスリーブ７とを容易に分別することができる。
【００３３】
したがって、繰り出し容器１は、通常の繰り出し操作時には、繰り出し容器の機能が発揮されるとともに、通常の繰り出し操作に伴う引き外し力よりも強く、且つ、一般規格に基づいて設定された組付力よりも弱い引き外し力で、スリーブ７を引っ張ると、係止部７ａと係合片４ａの組付きが外れ、合成樹脂製の外筒体と金属製のスリーブとを容易に分別することができ、分別廃棄、または素材別にリサイクルすることができ、リサイクル資源の回収が簡単に達成される。
【００３４】
図４は、外筒体４に形成した係合片４ｂと、スリーブ７の内周面に突設した係止部７ａを示し、図３中、Ａ−Ａ線に沿った断面矢視図である。
図４に示すように、スリーブ７の内面には、縦長状の係止部７ａが突設され、外筒体４の下端部には、その外周面に沿って等間隔に縦長状となる、断面凹凸形状の係合片４ｂが形成されている。
【００３５】
係止部７ａ及び係合片４ａは、それぞれ縦長の形状に形成されているため、係止部７ａと係合片４ａの組付きにより、特に、繰り出し操作時の周動に対して、スリーブ７と外筒体４の組付き力が大きくなる。
【００３６】
また、係合片４ｂは、外筒体４の外周面に沿って等間隔に設けられているため、スリーブ７の内面に突設した係止部７ａと位置合せすることなく、係合片４ｂに係止部７ａを係合することができ、外筒体４とスリーブ７の組み付けが容易となる。
【００３７】
また、スリーブ７の内面に係止部７ａを突設したため、スリーブ７とハカマ部材１０との間に所定のクリアランスを保って、スリーブ７とハカマ部材１０を組付けることができ、組付け精度を保持することが容易となる。
【００３８】
【発明の効果】
本発明は、上記した構成となっているので、以下に示す効果を奏する。第一に、短円筒状の基台筒部の上端から、略全高さ範囲に亘って縦長ガイド孔を開設した直線円筒状のガイド筒部を起立設した内筒体と、内筒体のガイド筒部に回転自在にかつ抜け出し不能に外嵌し、内周面に螺溝を刻設した合成樹脂製の外筒体と、円筒片体の外周面に、内筒体の縦長ガイド孔を貫通して先端を螺溝に螺合させる螺合ピンを突設し、内筒体のガイド筒部内に昇降変位可能に挿入組付けされる受皿体と、外筒体に外嵌される直線円筒状の金属製のスリーブと、内筒体に不動に固定され、外筒体に空転可能に外嵌されるハカマ部材と、ハカマ部材に着脱自在に嵌着する有頂円筒状のキャップとから成る繰り出し容器において、外筒体とスリーブの一方に係止部を設け、他方に係止部と係合する係合片を設け、係止部と係合片との組付力を、通常の繰り出し操作に伴う引き外し力よりも強く、且つ、一般規格に基づいて設定された組付力よりも弱い引き出し力により組付きが外れる範囲に設定したため、通常の繰り出し操作時に、スリーブが不動に外筒体に外嵌した状態となり、外筒体と内筒体との相対回転操作により、内筒体内部に収納した口紅等の棒状化粧品が繰り出され、通常の繰り出し容器の機能が発揮される。
【００３９】
一方、使用者が、通常の繰り出し操作に伴う引き外し力よりも強い力により、スリーブを引き外そうとすると、係止部と係合片の組付きが外れる。このとき、通常の繰り出し操作に伴う引き外し力以上の引き外し力が必要であるが、一般規定に基づいて設定された組付力より弱い引き外し力で係止部と係合片の組付きを外すことができるため、合成樹脂製の外筒体と金属製のスリーブとを容易に分別することができる。
【００４０】
このように、使用者は、容易に素材別の分別廃棄を行うことができ、また、業者は、分別回収により金属製のスリーブ等をリサイクルして有効活用することができる。
【００４１】
第二に、前述の構成に加え、縦長状の係止部をスリーブの内面に突設したこと、同じく縦長状の係合片を外筒体の外周面に等間隔に設けたことに特徴がある。
【００４２】
係止部及び係合片は、それぞれ縦長の形状に形成されているため、係止部と係合片の組付きにより、特に、繰り出し操作時に周方向に繰り出し容器に係る力に対して、組付き力が大きくなる。
【００４３】
また、係合片は、外筒体の外周面に等間隔に設けたため、スリーブに突設した係止部と位置合せすることなく、スリーブと外筒体とを組み付けることができる。係止部は、スリーブの内面に突設したため、スリーブとハカマ部材の所定のクリアランスを保って、各部材の組付けが可能となる。
【図面の簡単な説明】
【図１】本発明の一実施例を示す、一部断面図を含む平面図。
【図２】容器を構成する基台筒部及び内筒体、外筒体、受皿体、摺動リング、中蓋、一体的に組み付けられた中具及びキャップを示し、一部断面図を含む分解図。
【図３】スリーブ及びハカマ部材の一部を切り欠いて、透明又は半透明の合成樹脂製の内筒体、受皿体及び外筒体等の部材を示す説明図。
【図４】外筒体と、外筒体に外嵌したスリーブを示す、一部断面図を含む平面図。
【図５】図３中、Ａ−Ａ線に沿った、外筒体とスリーブの断面矢視図。
【符号の説明】
１  ；  容器
２  ；  基台筒部
３  ；  内筒体
３ａ；  ガイド筒
３ｂ；  縦長ガイド孔
４  ；  外筒体
４ａ；  螺溝
４ｂ；  係合片
５  ；  受皿体
５ａ；  円筒片体
５ｂ；  螺合ピン
６  ；  摺動リング
７  ；  スリーブ
７ａ；  係止部
８  ；  中具
９  ；  ハカマ
１０；  ハカマ部材
１１；  キャップ
【図１】
0004301355.tif 000002
【図２】
0004301355.tif 000003
【図３】
0004301355.tif 000004
【図４】
0004301355.tif 000005
【図５】
0004301355.tif 000006